【手続補正書】
【提出日】平成16年3月15日(2004.3.15)
【手続補正１】
【補正対象書類名】明細書
【補正対象項目名】発明の名称
【補正方法】変更
【補正の内容】
【発明の名称】超音波手術装置、超音波手術装置の動作監視方法及び超音波手術装置の制御方法
【手続補正２】
【補正対象書類名】明細書
【補正対象項目名】特許請求の範囲
【補正方法】変更
【補正の内容】
【特許請求の範囲】
【請求項１】
デジタル周波数データを入力する入力部を有し、前記デジタル周波数データに基づき超音波振動子を駆動する駆動信号を発振する超音波駆動信号発振手段と、
前記超音波振動子に供給される前記駆動信号に基づき、前記デジタル周波数データを前記超音波振動子の共振周波数に設定する共振周波数設定手段と、
前記共振周波数設定手段で設定された前記デジタル周波数データに基づき、前記超音波振動子の駆動状態を監視する監視手段と
を備えたことを特徴とする超音波手術装置。
【請求項２】
超音波振動する超音波振動子を有し、前記超音波振動によって生体を処置するハンドピースと、
デジタル周波数データを入力する入力部を有し、前記デジタル周波数データに基づき超音波振動子を駆動する駆動信号を発振する超音波駆動信号発振手段と、
前記超音波振動子に供給される前記駆動信号に基づき、前記デジタル周波数データを前記超音波振動子の共振周波数に設定する共振周波数設定手段と、
前記ハンドピースに応じて前記共振周波数設定手段で設定された前記デジタル周波数データを監視する監視手段と
を備えたことを特徴とする超音波手術装置。
【請求項３】
ハンドピース内に設けられた超音波振動子に駆動信号を出力する超音波駆動信号発振手段を有し、前記駆動信号の周波数を増減する情報を前記超音波駆動信号発振手段に出力して前記ハンドピースの共振点追尾を行う超音波手術装置の動作監視方法において、
前記ハンドピースに応じて予め設定された設定周波数を読み込む設定周波数読み込みステップと、
前記設定周波数に応じた駆動信号を出力する駆動信号出力ステップと、
前記駆動信号出力ステップで出力された前記駆動信号の出力周波数と前記設定周波数との周波数偏差を演算する演算ステップと、
前記演算ステップで得られた周波数偏差データが、前記設定周波数に基づいて決定された周波数範囲内であるか否か判定し、周波数範囲外と判定した際に超音波手術装置の異常を判断する判断ステップと、
を具備したことを特徴とする超音波手術装置の動作監視方法。
【請求項４】
ハンドピース内に設けられた超音波振動子に駆動信号を出力する超音波駆動信号発振手段を有し、前記駆動信号の周波数を増減する情報を前記超音波駆動信号発振手段に出力して前記ハンドピースの共振点追尾を行う超音波手術装置の制御方法において、
前記ハンドピースに応じて予め設定された設定周波数を読み込む設定周波数読み込みステップと、
前記設定周波数に応じた駆動信号を出力する駆動信号出力ステップと、
前記駆動信号出力ステップで出力された前記駆動信号の出力周波数と前記設定周波数との周波数偏差を演算する演算ステップと、
前記演算ステップで得られた周波数偏差データが、前記設定周波数に基づいて決定された周波数範囲内であるか否かを判断する判断ステップと、
前記判断ステップの判断結果に基づき、前記駆動信号の出力を停止する停止ステップと、
を具備したことを特徴とする超音波手術装置の制御方法。
【請求項５】
ハンドピース内に設けられた超音波振動子に駆動信号を出力する超音波駆動信号発振手段を有し、前記駆動信号の周波数を増減する情報を前記超音波駆動信号発振手段に出力して前記ハンドピースの共振点追尾を行う超音波手術装置の制御方法において、
前記ハンドピースに応じて予め設定された設定周波数を読み込む設定周波数読み込みステップと、
前記設定周波数に応じた駆動信号を出力する駆動信号出力ステップと、
前記駆動信号出力ステップで出力された前記駆動信号の出力周波数と前記設定周波数との周波数偏差を演算する演算ステップと、
前記演算ステップで得られた周波数偏差データが、前記設定周波数に基づいて決定された周波数範囲内であるか否かを判断する判断ステップと、
前記判断ステップの判断結果に基づき、警告情報を出力する警告情報出力ステップと、
を具備したことを特徴とする超音波手術装置の制御方法。
【手続補正３】
【補正対象書類名】明細書
【補正対象項目名】０００１
【補正方法】変更
【補正の内容】
【０００１】
【発明の属する技術分野】
本発明は生体組織を超音波振動により処置する超音波手術装置、超音波手術装置の動作監視方法及び超音波手術装置の制御方法に関する。


【手続補正４】
【補正対象書類名】明細書
【補正対象項目名】０００７
【補正方法】変更
【補正の内容】
【０００７】
本発明は、上記事情に鑑みてなされたものであり、複数の処置具に対し、処置具毎に共振周波数に対応した周波数範囲で、容易に出力周波数監視を行うことのできる超音波手術装置、超音波手術装置の動作監視方法及び超音波手術装置の制御方法を提供することを目的としている。


【手続補正５】
【補正対象書類名】明細書
【補正対象項目名】０００８
【補正方法】変更
【補正の内容】
【０００８】
【課題を解決するための手段】
本発明の超音波手術装置は、デジタル周波数データを入力する入力部を有し前記デジタル周波数データに基づき超音波振動子を駆動する駆動信号を発振する超音波駆動信号発振手段と、前記超音波振動子に供給される前記駆動信号に基づき前記デジタル周波数データを前記超音波振動子の共振周波数に設定する共振周波数設定手段と、前記共振周波数設定手段で設定された前記デジタル周波数データに基づき前記超音波振動子の駆動状態を監視する監視手段とを備えて構成される。
本発明の超音波手術装置の動作監視方法は、ハンドピース内に設けられた超音波振動子に駆動信号を出力する超音波駆動信号発振手段を有し、前記駆動信号の周波数を増減する情報を前記超音波駆動信号発振手段に出力して前記ハンドピースの共振点追尾を行う超音波手術装置の動作監視方法において、前記ハンドピースに応じて予め設定された設定周波数を読み込む設定周波数読み込みステップと、前記設定周波数に応じた駆動信号を出力する駆動信号出力ステップと、前記駆動信号出力ステップで出力された前記駆動信号の出力周波数と前記設定周波数との周波数偏差を演算する演算ステップと、前記演算ステップで得られた周波数偏差データが、前記設定周波数に基づいて決定された周波数範囲内であるか否か判定し、周波数範囲外と判定した際に超音波手術装置の異常を判断する判断ステップと、を具備したことを特徴とする。
本発明の超音波手術装置の制御方法は、ハンドピース内に設けられた超音波振動子に駆動信号を出力する超音波駆動信号発振手段を有し、前記駆動信号の周波数を増減する情報を前記超音波駆動信号発振手段に出力して前記ハンドピースの共振点追尾を行う超音波手術装置の制御方法において、前記ハンドピースに応じて予め設定された設定周波数を読み込む設定周波数読み込みステップと、前記設定周波数に応じた駆動信号を出力する駆動信号出力ステップと、前記駆動信号出力ステップで出力された前記駆動信号の出力周波数と前記設定周波数との周波数偏差を演算する演算ステップと、前記演算ステップで得られた周波数偏差データが、前記設定周波数に基づいて決定された周波数範囲内であるか否かを判断する判断ステップと、前記判断ステップの判断結果に基づき、前記駆動信号の出力を停止する停止ステップと、を具備したことを特徴とする。
また、本発明の超音波手術装置の制御方法は、ハンドピース内に設けられた超音波振動子に駆動信号を出力する超音波駆動信号発振手段を有し、前記駆動信号の周波数を増減する情報を前記超音波駆動信号発振手段に出力して前記ハンドピースの共振点追尾を行う超音波手術装置の制御方法において、前記ハンドピースに応じて予め設定された設定周波数を読み込む設定周波数読み込みステップと、前記設定周波数に応じた駆動信号を出力する駆動信号出力ステップと、前記駆動信号出力ステップで出力された前記駆動信号の出力周波数と前記設定周波数との周波数偏差を演算する演算ステップと、前記演算ステップで得られた周波数偏差データが、前記設定周波数に基づいて決定された周波数範囲内であるか否かを判断する判断ステップと、前記判断ステップの判断結果に基づき、警告情報を出力する警告情報出力ステップと、を具備したことを特徴とする。